(57)【要約】      （修正有）【課題】充填物を注入するのに便利で、しっかり蓋を閉めることができ、環境に優しく安全な冷却・温熱用袋の構造を提供する。【解決手段】冷却・温熱用袋の構造は、袋体１、開口装置２、蓋体３および少なくとも１つのねじ締結部材４を備え、袋体には収容空間１０および袋口１１を設け、開口装置をその袋口に設置する。開口装置には、収容空間と相互連通する連通孔２０を設け、また少なくとも１つの締結部２１を形成する。蓋体は連通孔に対応して開口装置を覆蓋し、蓋体の締結部に対応する位置には貫通孔３０を設ける。ねじ締結部材は、貫通孔に貫通させ、締結部に締結する。【選択図】図２
0003179658.tif 000002
【実用新案登録請求の範囲】
【請求項１】
収容空間および前記収容空間と相互連通する袋口を設けた袋体と、
前記袋口に設置され、前記収容空間と相互連通する連通孔を設け、少なくとも１つの締結部を形成する開口装置と、
前記連通孔に対応して前記開口装置を覆蓋し、前記締結部に対応する位置に貫通孔を設けた蓋体と、
前記貫通孔に貫設され、前記締結部に締結される少なくとも１つのねじ締結部材と、
を備えることを特徴とする冷却・温熱用袋の構造。
【請求項２】
前記開口装置は前記蓋体と相互密合する密合部を設けることを特徴とする、請求項１に記載の冷却・温熱用袋の構造。
【請求項３】
前記蓋体には前記密合部に対応する第一漏れ止め部材を冠設することを特徴とする、請求項２に記載の冷却・温熱用袋の構造。
【請求項４】
前記蓋体の内側には内部の液体が溢れ出すのを防止する逆止部が延伸することを特徴とする、請求項１に記載の冷却・温熱用袋の構造。
【請求項５】
前記蓋体には、外側の貫通孔に隣接する位置において、前記ねじ締結部材を締結保持する保持部を設けることを特徴とする、請求項１に記載の冷却・温熱用袋の構造。
【請求項６】
各前記ねじ締結部材にはそれぞれ第二漏れ止め部材を冠設することを特徴とする、請求項１に記載の冷却・温熱用袋の構造。
【請求項７】
前記袋体は、可食性材質に相当する環境に優しい材料片を組み合わせたものであることを特徴とする、請求項１に記載の冷却・温熱用袋の構造。
【請求項８】
前記ねじ締結部材には、締結する力を加えるのに便利なつまみ部を形成することを特徴とする、請求項１に記載の冷却・温熱用袋の構造。
【考案の詳細な説明】
【技術分野】
【０００１】
本考案は冷却・温熱用袋に関するものであって、特に充填物を注入するのに便利で、しっかり蓋を閉めることができ、環境に優しく安全な冷却・温熱用袋の構造に関するものである。
【背景技術】
【０００２】
冷却や温熱は、医療過程において非常によく用いられる治療方式であり、熱を持った部分の温度を下げたり、氷で冷やしたり、血液循環をよくしたり、痛みを和らげたりといったどの方法にも便利かつ必要なものであり、従来の冷却・温熱用袋はこれらの方法において重要な役割を果たしてきた。
【０００３】
しかし、従来の冷却・温熱用袋の使用には改善すべき次の問題点や欠点がある。
【０００４】
一つは、袋の口が小さく軟らかいため、充填物が注入しにくく、袋口を閉めにくく、しばしば充填物の漏れが生じる。
【０００５】
もう一つは、従来の袋体の多くは主に可塑剤を含有するゴム製材質からなり、環境に悪いだけでなく、人体にも有害である。
【０００６】
本考案者やこの分野に従事する関連メーカーの研究改善の方向性は、上述した従来の問題と欠点をいかに解決するかということにある。故に、本考案者は、上述した公知技術の欠点に鑑みて、また関連資料を収集し、多角的な評価や検討を経て、本分野に従事してきた長年の経験にもとづき、試作と修正を重ね、充填物を注入するのに便利で、しっかりと蓋を閉めることでき、環境に優しく安全な冷却・温熱用袋の構造を設計した。
【考案の概要】
【考案が解決しようとする課題】
【０００７】
本考案の主な目的は、従来の冷却・温熱用袋が有する、袋口が小さく軟らかいために充填物を注入しにくく、袋口を閉めにくく、充填物が漏れやすいといった問題点を突破し、充填物を注入するのに便利で、しっかり蓋を閉めることができるといった実用進歩性を達成することにある。
【課題を解決するための手段】
【０００８】
上述の目的を達成するため、冷却・温熱用袋の構造は、袋体、開口装置、蓋体および少なくとも１つのねじ締結部材を備える。袋体には収容空間および収容空間と相互連通する袋口を設ける。袋体は可食性材質に相当する環境に優しい材料片を組み合わせたものである。袋口には開口装置を設置する。開口装置には、収容空間と相互連通する連通孔と、蓋体と相互密合する密合部を設ける。また、開口装置には少なくとも１つの締結部を形成する。
蓋体は連通孔に対応して開口装置を覆蓋し、蓋体の締結部に対応する位置には貫通孔を設ける。また、蓋体には、密合部に対応する第一漏れ止め部材を冠設する。蓋体の内側には、内部の液体が溢れ出すのを防止する逆止部が延伸する。ねじ締結部材は、貫通孔に貫通させ、締結部に締結する。各ねじ締結部材には、それぞれ第二漏れ止め部材を冠設する。注目すべきは、蓋体には、外側の貫通孔に隣接する位置においてねじ締結部材を締結保持する保持部を設け、ねじ締結部材には、締結する力を加えやすいようにするつまみ部を形成する点である。
【０００９】
上述の構造により、従来の冷却・温熱用袋の多くが有する、主な材質が可塑剤を含有するゴム製材質であるため環境に悪いだけでなく人体にも有害であるという問題点を突破し、環境に優しく安全な実用進歩性を達成できる。
【考案の効果】
【００１０】
全ての図を参照されたい。従来技術と比較し、本考案を使用した際の利点を以下に列挙する。
【００１１】
１、開口装置２の連通孔２０は充填物を注入するのに便利である。
【００１２】
２、可食性に相当する環境に優しい材質の袋体１に氷も熱湯も注入することができ、環境に優しく安全である。
【００１３】
３、ネジ締結部材４には持ちやすいようにつまみ部４２が形成されているので、ねじ締結部材４に力を加えて締結することができる。
【００１４】
４、蓋体３をしっかり締め付けることができ、中身が漏れにくくなる。
【図面の簡単な説明】
【００１５】
【図１】本考案の好ましい実施例の組み立て完成斜視図。
【図２】本考案の好ましい実施例の分解図。
【図３】本考案の好ましい実施例の第一充填動作を示す図。
【図４】本考案の好ましい実施例の第二充填動作を示す図。
【図５】本考案の好ましい実施例のねじ締結動作を示す図。
【図６】本考案の好ましい実施例の使用動作を示す図。
【考案を実施するための形態】
【００１６】
上述の目的と効果を達成すべく本考案が採用する技術手段および構造を完全に理解するため、好ましい実施例を図示し、その特徴と効果について次のとおり詳しく説明する。
【実施例】
【００１７】
図１は本考案の好ましい実施例の組み立て完成斜視図であり、図２は同実施例分解図である。
図からわかるように、本考案の冷却・温熱用袋の構造は、袋体１、開口装置２、蓋体３および少なくとも１つのねじ締結部材４を備える。袋体１には収容空間１０および収容空間１０と相互連通する袋口１１を設ける。袋体１は可食性材質に相当する環境に優しい材料片を組み合わせたものである。袋口１１には開口装置２を設置する。開口装置２には、収容空間１０と相互連通する連通孔２０と、蓋体３と相互密合する密合部２２を設ける。また、開口装置２には少なくとも１つの締結部２１を形成する。
蓋体３は連通孔２０に対応して開口装置２を覆蓋し、蓋体３の締結部２１に対応する位置には貫通孔３０を設ける。また、蓋体３には、密合部２２に対応する第一漏れ止め部材３１を冠設する。蓋体３の内側には、内部の液体が溢れ出すのを防止する逆止部３２が延伸する。ねじ締結部材４は、貫通孔３０に貫通させ、締結部２１に締結する。各ねじ締結部材４には、それぞれ第二漏れ止め部材４１を冠設する。注目すべきは、蓋体３には、外側の貫通孔３０に隣接する位置においてねじ締結部材４を締結保持する保持部３３を設け、ねじ締結部材４には、締結する力を加えやすいようにするつまみ部４２を形成する点である。
【００１８】
上述の構造、組成設計にもとづく、本考案の使用状況を以下に説明する。図３は本考案の好ましい実施例の第一充填動作を示す図、図４は同実施例の第二充填動作を示す図、図５は同実施例のねじ締結動作を示す図、図６は同実施例の使用動作を示す図である。
図からわかるように、開口装置２の連通孔２０は充填物注入に便利であり、氷も熱湯も可食性に相当する環境に優しい材質の袋体１に注入することができ、環境に優しく安全である。充填物の注入完了後、蓋体３で蓋をする。ネジ締結部材４には持ちやすいようにつまみ部４２が形成されているので、ねじ締結部材４に力を加えて締結することで、蓋体３をしっかり締め付けることができ、中身が漏れにくくなる。
【００１９】
上述の記載は本考案の好ましい実施例に過ぎず、本考案の実施範囲を限定するものではない。従って、本考案の明細書及び図の内容を応用して加えた変更や潤色は全て、本考案の実用新案登録請求の範囲内に含まれることをここに明記する。
【符号の説明】
【００２０】
１    袋体    
１０  収容空間
１１  袋口
２    開口装置
２０  連通孔
２１  締結部
２２  密合部
３    蓋体
３０  貫通孔
３１  第一漏れ止め部材
３２  逆止部
３３  保持部
４    ねじ締結部材
４１  第二漏れ止め部材
４２  つまみ部
【図１】
0003179658.tif 000003
【図２】
0003179658.tif 000004
【図３】
0003179658.tif 000005
【図４】
0003179658.tif 000006
【図５】
0003179658.tif 000007
【図６】
0003179658.tif 000008